(57)【特許請求の範囲】
【請求項１】
３−（４−イソブチル−２−メチルフェニル）プロパナールと一級および／または二級アミンとの反応生成物として少なくともエナミンおよび／またはアミナールを含む、３−（４−イソブチル−２−メチルフェニル）プロパナールのフレグランス前駆体。 
【請求項２】
一級および／または二級アミンが、芳香族アミン、一級または二級脂肪族アミン、エーテルアミン、エチレン−およびプロピレンアミン、アミノ酸および誘導体、ポリアミン、Ｎ−（３−アミノプロピル）イミダゾール、ニペコタミド、スカトールならびにインドール からなる群から選択される、請求項１に記載のフレグランス前駆体。 
【請求項３】
芳香族アミンが、２−アミノ安息香酸メチル（アントラニル酸メチル）、２−アミノアセトフェノン、および式ＩＩ（式中、Ｒ１＝Ｃ１−Ｃ１２直鎖もしくは分枝アルキル、アルケニル、シクロアルキル、シクロアルケニルまたはアルキルアリール、およびＲ２＝Ｈ、Ｍｅ、Ｅｔ）で表されるオルト、メタまたはパラアミノベンゾアートからなる群から選択され、 
一級または二級脂肪族アミンが、Ｃ８−Ｃ３０直鎖もしくは分枝アルキルアミン、およびアルキルジアミンからなる群から選択され、 
ポリアミンが、一級および二級ポリエーテルアミン、ポリエチレンイミン、ポリプロピレンイミン、ポリアミドアミン、ポリアミノ酸、ポリビニルアミン、ポリ（エチレングリコール）ビス（アミン）、およびアミノ置換ポリビニルアルコールからなる群から選択される、 
【化１】
0006487042.tif 000011
請求項２に記載のフレグランス前駆体。 
【請求項４】
少なくとも（Ｅ／Ｚ）−メチル２−（（３−（４−イソブチル−２−メチルフェニル）プロパ−１−エン−１−イル）アミノ）ベンゾアートおよび／またはジメチル２，２’−（（３−（４−イソブチル−２−メチルフェニル）プロパン−１，１−ジイル）ビス（アザンジイル））−ジベンゾアートを含む、請求項１〜３のいずれか一項に記載のフレグランス前駆体。 
【請求項５】
香料成分としての、請求項１〜４のいずれか一項に記載のフレグランス前駆体の使用。
【請求項６】
香料成分が、ミュゲの匂い特性を有する成分を放出することができる、請求項５に記載のフレグランス前駆体の使用。 
【請求項７】
請求項１〜４のいずれか一項に記載のフレグランス前駆体を含む、香料組成物。 
【請求項８】
アルデヒド官能基を有する置換基に対してアリール環上のオルト位が非置換であるアリール置換プロパナールを実質的に含まない、請求項７に記載の香料組成物。 
【請求項９】
アリール置換プロパナールが、３−（４−ｔｅｒｔ−ブチルフェニル）−２−メチルプロパナール（CAS 80-54-6）である、請求項８に記載の香料組成物。 
【請求項１０】
３−（４−イソブチル−２−メチルフェニル）プロパナールをさらに含む、請求項７〜９のいずれか一項に記載の香料組成物。 
【請求項１１】
１種以上の追加のフレグランス成分を含む、請求項７〜１０のいずれか一項に記載の香料組成物。 
【請求項１２】
ミュゲの匂い特性を有する成分を放出することができる、請求項７〜１１のいずれか一項に記載の香料組成物。 
【請求項１３】
請求項１〜４のいずれか一項に記載のフレグランス前駆体もしくは請求項７〜１２のいずれか一項に定義された香料組成物を少なくとも含む、パーソナルケアまたは家庭用ケア組成物。 
【請求項１４】
香料組成物に対してミュゲの匂い特性を付与する方法であって、少なくとも請求項１〜４のいずれか一項に記載のフレグランス前駆体を前記組成物に加えるステップを含む、前記方法。 
【発明の詳細な説明】
【技術分野】
【０００１】
本発明は、アミンと３−（４−イソブチル−２−メチルフェニル）プロパナールとの間の反応に由来するフレグランス前駆体に関する。これらのフレグランス前駆体は、３−（４−イソブチル−２−メチルフェニル）プロパナールを放出することができる。さらに、本発明は、香料組成物におけるかかる前駆体の使用に関する。特に本発明は、ミュゲ（スズラン）の匂い特性を有するフレグランスを放出する、フレグランス前駆体または前記前駆体を含有する香料調製物に関する。さらに具体的には、本発明は、Lilial（商標）を含まないか、または実質的に含まない、前記香料調製物に関する。さらに本発明は、前記香料前駆体および香料調製物を作製する方法、ならびに、前記香料前駆体および香料調製物の、ファインフレグランスならびにパーソナルケアおよび家庭用ケア製品などの消費者製品における使用に関する。本発明はまた、前記香料前駆体および香料調製物を含有する、前記ファインフレグランスならびに消費者製品に関する。
【背景技術】
【０００２】
ミュゲの匂い特性を有する化合物は、香料成分として非常に人気が高い。これらの化合物は、フローラルベースとして重要な成分であり、多くの種類のフレグランス創生にわたるハーモナイザーとして機能することができる。この種類の化合物は、パーソナルケアおよび家庭用ケア製品、ならびに高級香水において広く使用されており、心地よい匂いを生じるかまたは不快な臭気をマスクする。
【０００３】
ミュゲの匂いノートについて広く評価されている優れた香料成分は、Lilial（商標）または３−（４−ｔｅｒｔ−ブチルフェニル）−２−メチルプロパナール（CAS 80-54-6）である。この化合物は、高級香水ならびにパーソナルおよび家庭用ケア製品における広範囲の使用が見出されている。しかし、その使用は、これが雄ラットおよびイヌの生殖器官に対して有害作用を示すという最近の知見の観点から、論争の的となっている。マウス、モルモットおよび霊長類での研究では影響は見出されなかったが、それでも、Global Harmonized System（ＧＨＳ）分類システムにおいては、この化合物はＣＭＲ２物質として分類されている。ＣＭＲカテゴリー２の物質については、使用のために提案された量が消費者に無害であることを証明する必要がある。Lilial（商標）の規制事情を考慮して、それは他の香料成分で置き換えられている。
【０００４】
最近、出願人は、香料組成物およびファインフレグランスおよび消費者製品において香料成分として用いられ得る新規化合物３−（４−イソブチル−２−メチルフェニル）プロパナールを見出した。新規化合物は、望ましいミュゲの匂い特性を有し、Lilial（商標）の香りを思い出させるものとしてパーフューマーに知覚および認識され得るため、Lilial（商標）の単純な代替としての役割を果たすことができる。新規化合物は、Lilial（商標）に関連する規制問題を招かない。この発明は、特許出願PCT/EP2014/059427において開示されており、これは参照により本明細書に組み込まれる。
Lilial（商標）を含む洗浄または洗濯製品などの香りのする製品は、当該分野においてよく知られている。
【０００５】
しかしながら、フレグランスは、ある種の消費者製品のベース（base）中に取り込まれた場合には、空気との相互作用によって惹起される分解により、変化し得るのであり、ここではアルカリ性、酸性、次亜塩素酸塩などの酸化剤の存在または他のベース成分がフレグランスの化学的分解を引き起こし得ることが知られている。加えて、揮発性フレグランスは、時間とともに消散していく傾向にある。さらに、洗浄または洗濯製品において用いられる場合には、処理された基質におけるフレグランスの着臭が洗浄および／またはすすぎの手順により損なわれる。
【０００６】
それにもかかわらず、長期にわたって保存でき、それでもなお一定の香料の印象を与える製品を所有することが消費者に求められている。特に、揮発性成分の効果は保持されるべきである。さらに、かかる製品は、時間とともに処理した基質から徐々に放散していく、長持ちする心地よいフレグランスを創生することが求められている。
【発明の概要】
【０００７】
したがって、本発明の目的は、上記Lilial（商標）タイプのフレグランスを長期にわたって放出し続けることができ、前記フレグランスの長続きする放出を提供することができるシステムを提供することである。
【０００８】
本発明の別の目的は、特に消費者製品の用途における、とりわけいわゆる繊維柔軟剤またはコンディショナー等の洗い流す用途、およびヘアシャンプーまたは繊維洗剤における、３−（４−イソブチル−２−メチルフェニル）プロパナールの持続性を増加させることである。
【０００９】
出願人は、一級および／または二級アミン化合物と３−（４−イソブチル−２−メチルフェニル）プロパナールとの反応生成物が、３−（４−イソブチル−２−メチルフェニル）プロパナールのフレグランス前駆体としての役割を果たし得ることを見出した。これらのフレグランス前駆体は、フレグランスそれ自体の使用によるよりも長い期間にわたって、３−（４−イソブチル−２−メチルフェニル）プロパナールの遅延した放出を提供する。
【００１０】
一級および／または二級アミン化合物と３−（４−イソブチル−２−メチルフェニル）プロパナールとの反応は、例えばイミン、シッフ塩基、ヘミアミナール、アミナールおよびエナミンといったいくつかの反応生成物を与え得る。さらに、いくつかのポリマーおよびオリゴマー生成物も形成され得る。
【００１１】
４：１から１：２の範囲でのモル比におけるオルト−アミノ安息香酸メチル（アントラニル酸メチル）と３−（４−イソブチル−２−メチルフェニル）プロパナールとの反応生成物を研究したところ、出願人は、驚くべきことに、主反応生成物が、炭素−窒素二重結合を特徴とするイミンまたはシッフ塩基ではないことを見出した。その一方、これらの反応混合物は、少なくとも対応するアミナールおよび／またはエナミン含む。
【００１２】
したがって、本発明は、第一の側面において、式Ｉの化合物の対応するアミナールおよび／またはエナミンを少なくとも含むフラグレンス前駆体を提供する。かかるフレグランス前駆体は、一級アミンおよび／または二級アミン化合物と３−（４−イソブチル−２−メチルフェニル）プロパナール（式Ｉの化合物）との反応により得ることができる。
【化１】
0006487042.tif 000002
【００１３】
しかしながら、改変した反応条件下では、例えば、アミン化合物とアルデヒドとの反応における、変更したモル比によりおよび／またはアミノ化合物の性質に依存して、例えば対応するイミンまたはシッフ塩基またはヘミアミナールといったさらなる生成物が異なる比で形成され得る。
【００１４】
アミナールは、式Ｉの化合物へのアミノ化合物のビス付加体である。エナミンは、式Ｉの化合物へのアミノ化合物のモノ付加体であり、炭素−炭素二重結合を特徴とする。エナミンは、波線の結合で示した通り、Ｅ−およびＺ−異性体の混合物として得られる。
【００１５】
一般式Ｒ−ＮＨ２を有する一級アミンおよび一般式Ｒ−ＮＨＲ’を有する二級アミンは、記載した様式で反応することができる。ＲおよびＲ’は、直鎖もしくは分枝の飽和または不飽和アルキル基、あるいはさらに置換もしくは非置換アリール基を表す。二級アミンの場合は、置換基ＲおよびＲ’は、環系を形成してもよい。
【００１６】
前記フレグランス前駆体は、Lilial（商標）と実質的に同様の匂い特性および性能を有する化合物である、３−（４−イソブチル−２−メチルフェニル）プロパナールを放出することができる。前駆体は、３−（４−イソブチル−２−メチルフェニル）プロパナールの改善されたフレグランス強度および（持続性としても知られている）長続きする放出を提供する。
【００１７】
本発明によれば、フレグランス前駆体は、それ自体がファインフレグランスではないが、特に環境により分解されて少なくとも一種の望ましい芳香物質を生じる物質である。フレグランス前駆体は、例えば空気の湿気もしくは水による加水分解によって望ましいフレグランスを放出することになる。放出は、光または酸素への暴露、ｐＨ変化および酵素活性により惹起され得る。
【００１８】
フレグランス前駆体それ自体は、無臭であり得る。あるいは、前駆体はそれだけで着臭剤となり得る。
通常、フレグランス前駆体は、３−（４−イソブチル−２−メチルフェニル）プロパナールと一種の一級および／または二級アミン化合物との反応により得ることができる。特定の態様においては、フレグランス前駆体は、３−（４−イソブチル−２−メチルフェニル）プロパナールと少なくも二種の一級および／または二級アミン化合物の混合物との反応により得ることができる。 
【００１９】
香料混合物における調製化合物としてフレグランス前駆体を使用することが好ましい。しかしながら、本発明の他の側面においては、一級および／または二級アミン化合物と３−（４−イソブチル−２−メチルフェニル）プロパナールとを４：１〜１：１００の範囲におけるモル比で香料混合物中へ添加することにより、直接、香料混合物中でフレグランス前駆体を形成することができる。 
【００２０】
好ましくは、一級および／または二級アミン化合物は、
芳香族アミン：２−アミノ安息香酸メチル（アントラニル酸メチル）、２−アミノ安息香酸エチル、２−アミノアセトフェノン、４−アミノ安息香酸エチル、式ＩＩ（式中、Ｒ１＝Ｃ１−Ｃ１２直鎖もしくは分枝アルキル、アルケニル、シクロアルキル、シクロアルケニルまたはアルキルアリール、およびＲ２＝Ｈ、Ｍｅ、Ｅｔ）で表されるオルト、メタまたはパラアミノベンゾアート；１−フェニルエチルアミン、２−フェニルエチルアミン、４，４’−メチレンジアニリン、ベンジルアミン;
【００２１】
一級または二級脂肪族アミン：Ｃ８−Ｃ３０直鎖もしくは分枝アルキルアミンまたはアルキルジアミン（例えば、オクチルアミン、ドデシルアミン、トリデシルアミン（CAS: 86089-17-0）、オクタデシルアミン、ノナン−２−アミン、ウンデカン−２−アミン、４−エチルシクロヘキシルアミン、９−オクタデセニルアミン、ジヘキシルアミン、ジシクロヘキシルアミン、ジ−（２−エチルヘキシル）アミン、ジトリデシルアミン、オクタメチレンジアミン、４，４’−ジアミノジシクロヘキシルメタン、３，３’−ジメチル−４，４’ジアミノ−ジシクロヘキシルメタン）、１，４−ジアミノシクロヘキサン、１，１２−ジアミノドデカン、イソホロンジアミン、１，３−ビス−（アミノメチル）シクロヘキサン、１，３−ビス−（アミノエチル）シクロヘキサン、アミノアルキルピペラジン（例えば１，４−ビス−（３−アミノプロピル）ピペラジン）、グルカミン；
【００２２】
エーテルアミン：２−アルキルオキシエチルアミン（例えば２−メトキシエチルアミン）、３−アルキルオキシプロピルアミン（例えば３−メトキシプロピルアミン、３−エトキシプロピルアミン、３−（２−エチルヘキソキシ）プロピルアミン）、４，７，１０−トリオキサトリデカン−１，１３−ジアミン、４，９−ジオキサドデカン−１，１２−ジアミン、ジ−（２−メトキシエチル）アミン；
【００２３】
エチレン−およびプロピレン−アミン：２−（ジエチルアミノ）エチルアミン、２−（ジイソプロピルアミノ）エチルアミン、ジエチレントリアミン、トリエチレンテトラミン、テトラエチレンペンタミン、２，２’，２”−トリアミノトリエチルアミン、Ｎ−（２−アミノエチル）エタノールアミン、ジプロピレントリアミン、３−（ジメチルアミノ）プロピルアミン、３−（アルキルアミノ）プロピルアミン（例えば３−（シクロヘキシルアミノ）−プロピルアミン、３−（オレイルアミノ）−プロピルアミン）、３−（２−アミノエチルアミノ）−プロピルアミン、Ｎ，Ｎ−ビス−（３−アミノプロピル）メチルアミン、直鎖または分枝ビス−（アミノアルキル）アルキルジアミン（例えばＮ，Ｎ’−ビス−（３−アミノプロピル）−エチレンジアミン、Ｎ，Ｎ’−ビス−（３−アミノプロピル）−１，３−プロパンジアミン）；
【００２４】
アミノ酸および誘導体：チロシン、トリプトファン、リジン、グルタミン酸、グルタミン、アスパラギン酸、アルギニン、アスパラギン、フェニルアラニン、プロリン、グリシン、セリン、ヒスチジン、スレオニン、メチオニン、チロシンエチレート、グリシンメチレート、トリプトファンエチレート；
【００２５】
ポリアミン：一級および二級ポリエーテルアミン（Jeffamine（商標））、ポリエチレンイミン（Lupasol（商標））、ポリプロピレンイミン（Astramol（商標））、ポリアミドアミン、ポリアミノ酸（例えばポリリジン、架橋ポリリジン）、ポリビニルアミン、ポリ（エチレングリコール）ビス（アミン）、アミノ置換ポリビニルアルコール；
Ｎ−（３−アミノプロピル）イミダゾール、ニペコタミド、スカトールおよびインドール
【化２】
0006487042.tif 000003
からなる群から選択される。
【００２６】
これらの好ましいアミン化合物は、実質的に無臭であるかまたはわずかな匂いのみを有するが顕著な匂いを有さず、したがって、実質的に無臭の材料を構成する。あるいは、それらは、既知のまたは新たな香料成分であり、したがって、反応混合物から放出される場合には、フレグランス全体の匂い属性に対して好ましい様式で寄与することができる。
【００２７】
特に好ましいアミノ化合物は、オルト−アミノ安息香酸メチル（アントラニル酸メチル）である。このアミノ化合物を用いた場合には、２：１〜１：１の間の範囲におけるモル比でのアミン化合物と３−（４−イソブチル−２−メチルフェニル）プロパナールとの反応により、嗅覚的に最も魅力的なフレグランス前駆体を得ることができる。かかる反応混合物は、少なくとも（Ｅ／Ｚ）−メチル２−（（３−（４−イソブチル−２−メチルフェニル）プロパ−１−エン−１−イル）アミノ）ベンゾアートおよび／またはジメチル２，２’−（（３−（４−イソブチル−２−メチルフェニル）プロパン−１，１−ジイル）ビス（アザンジイル））−ジベンゾアートを生じる。
【００２８】
さらに、前駆体は、それぞれ、実質的に無臭であるかまたはフレグランス全体の匂い属性を改善し得る好ましい匂い特性を有する。フレグランス全体の匂い属性は、反応生成物の存在により影響を受けないかまたは悪影響を受けないことが重要である。
【００２９】
他の側面においては、本発明は、記載されたフレグランス前駆体、すなわち少なくとも３−（４−イソブチル−２−メチルフェニル）プロパナールのアミナールおよび／またはエナミンの、香料成分としての使用を提供する。
通常、粗反応混合物が前記フレグランス前駆体として用いられる。特定の態様においては、粗反応混合物は、フレグランス前駆体としての使用前に精製されてもよい。
特に、香料成分としての前駆体は、ミュゲの匂い特性を有する成分を放出することができる。
【００３０】
このように、および既知成分の混合物に基づくLilial（商標）の代替に関する従来技術提案とは対照的に、本発明は、Lilial（商標）の代替について単一のフレグランス化合物を放出することができる前駆体を提供する。単一のフレグランスによるかかる代替は、費用効率が高くそしてパーフューマーにとって便利であり得る。
【００３１】
本発明は、他の側面において、アリール置換アルカナール、より詳細には、アルデヒド官能基を有する置換基に対してアリール環上のオルト位が非置換であるアリール置換プロパナール、特にLilial（商標）の代替として、３−（４−イソブチル−２−メチルフェニル）プロパナールを放出することができる香料組成物における、記載されたフレグランス前駆体の使用を提供する。
【００３２】
本発明の前駆体により放出される化合物は、安息香酸誘導体に対する酵素的分解に影響を受けない。これは、Lilial（商標）に対する近い構造的類似性を考慮すると、実に極めて驚くべき結果であった。アルデヒド官能基を有する基に対して環上のオルト位においてメチル置換基を含むアリール置換アルカナールが、その安息香酸誘導体に対する酵素的分解に影響を受けないという出願人の驚くべき発見は、当該分野において従来知られていなかった知見を提供し、Lilial（商標）に構造的に類似しており（したがって、これらの化合物と著しく類似した嗅覚的属性を有するが）それにもかかわらず類似の規制問題を引き起こさない化合物を用いてパーフューマーが調合することを可能にする。
【００３３】
ラット肝細胞におけるin vitro代謝を研究するため、Lilial（商標）および本発明の前駆体により放出される化合物を、懸濁したラット肝細胞の存在下でインキュベートする。Lilial（商標）および本発明の前駆体により放出される化合物の減少、および対応する安息香酸誘導体の形成は、ＧＣ−ＭＳにより分析することができる。
【００３４】
したがって、本発明の他の側面においては、ラットから単離された肝細胞とインキュベートした場合に、対応する安息香酸誘導体を形成しないか、または実質的に形成しない、式（Ｉ）の化合物を放出することができるフレグランス前駆体が提供される。「実質的に安息香酸誘導体がない」により、前記誘導体の濃度が、検出限界未満、すなわち、＜１％であることを意味する。このように、式（Ｉ）の化合物を放出する前駆体は、価値があるが問題のあるLilial（商標）のきわめて適切な代替物をパーフューマーに提供する。
【００３５】
本発明の他の側面においては、ミュゲの匂い特性を香料組成物に付与する方法であって、前記香料組成物に式（Ｉ）の化合物を放出するフレグランス前駆体を組み込むステップを含む前記方法が提供される。
本発明のさらに他の側面においては、３−（４−イソブチル−２−メチルフェニル）プロパナールのアミナールおよび／またはエナミンであるフレグランス前駆体を含む香料組成物が提供される。
【００３６】
本発明のさらに他の側面においては、式（Ｉ）による化合物を放出するフレグランス前駆体を含むミュゲの匂い特性を有する香料組成物が提供される。
本発明のさらに他の側面においては、アルデヒド官能基を有する置換基に対してアリール環上のオルト位が非置換であるアリール置換プロパナール着臭剤、特にLilial（商標）、を実質的に含まない、３−（４−イソブチル−２−メチルフェニル）プロパナールのアミナールおよび／またはエナミンであるフレグランス前駆体を含む香料組成物が提供される。
【００３７】
本発明による香料化合物は、３−（４−イソブチル−２−メチルフェニル）プロパナールのアミナールおよび／またはエナミンであるフレグランス前駆体により完全に作製され得る。しかしながら、香料組成物はまた、前記フレグランス前駆体に加えて、一種以上の追加の香料成分を含んでもよい。
【００３８】
３−（４−イソブチル−２−メチルフェニル）プロパナールのアミナールおよび／またはエナミンであるフレグランス前駆体は、パーフューマーが達成しようとする特定の嗅覚的効果に応じて任意の量で香料組成物中に存在し得る。本発明の特定の態様においては、本発明の香料組成物は、前記組成物の０．１〜１００重量％の量で３−（４−イソブチル−２−メチルフェニル）プロパナールのアミナールおよび／またはエナミンであるフレグランス前駆体を含み得る。
【００３９】
特に好ましいのは、香料組成物が３−（４−イソブチル−２−メチルフェニル）プロパナールをさらに含むことである。フレグランスおよび前記フレグランスを放出する前駆体の混合物は、一定で長続きするフレグランスの印象を長期にわたり確保する。
香料組成物は、さらに追加の香料成分を含んでもよい。一種以上の追加の香料成分が用いられる場合には、それらは、既知の任意の香料成分からまたはその前駆体系からそれぞれ選択されてもよい。
【００４０】
特に、本発明による香料組成物に用いることができる前記香料成分には、（Ｅ／Ｚ）−９−ヒドロキシ−５，９−ジメチルデカ−４−エナール（（E/Z）-9-hydroxy-5,9-dimethyldec-4-enal）、６−メトキシ−２，６−ジメチルヘプタン−１−アール（メトキシメロナール）、５，９−ジメチル−４，８−デカジエナール（ゲラルデヒド（geraldehyde））、ベータ−メチル−３−（１−メチルエチル）ベンゼンプロパナール（florhydral）、オクタヒドロ−８，８−ジメチルナフタレン−２−カルバルデヒド（cyclomyral）、アルファ−メチル−１，３−ベンゾジオキソール−５−プロピオンアルデヒド（helional）、５−メチル−２−（１−メチルブチル）−５−プロピル−１，３−ジオキサン（Troenan）、３−（ｏ−エチルフェニル）−２，２−ジメチルプロピオンアルデヒド（floralozone）、ファルネソール、３，７，１１−トリメチルドデカ−１，６，１０−トリエン−３−オール、任意に異性体混合物として（ネロリドール）、２−メチル−４−フェニルブタン−２−オール（ジメチルフェニルエチルカルビノール）、シス−４−（イソプロピル）シクロヘキサンメタノール（mayol）、１−（１−ヒドロキシエチル）−４−（１−メチルエチル）シクロヘキサン（任意にジアステレオ異性体の混合物として）（mugetanol）、（４−メチル−３−ペンテニル）シクロヘキセンカルバルデヒド（citrusal）、サリチル酸シクロヘキシル、サリチル酸ヘキシル、サリチル酸ベンジル、サリチル酸アミル、３−（ｐ−（２−メチルプロピル）フェニル）−２−メチルプロピオンアルデヒド（silvial）、３−ｐ−クメニル−２−メチルプロピオンアルデヒド（シクラメンアルデヒド）、シス−テトラヒドロ−２−イソブチル−４−メチルピラン−４−オール；トランス−テトラヒドロ−２−イソブチル−４−メチルピラン−４−オール；（florol）の混合物、クエン酸トリエチルおよびジプロピレングリコールが含まれる。
【００４１】
前記香料成分はさらに、サリチル酸アミル（2050-08-0）；Aurantiol（登録商標）（89-43-0）；サリチル酸ベンジル（118-58-1）；シス−３−ヘキセニルサリチラート（65405-77-8）；シトロネリルオキシアセトアルデヒド（7492-67-3）；Cyclemax（7775-00-0）；サリチル酸シクロヘキシル（25485-88-5）；Cyclomyral（登録商標）（68738-94-3）；シトロネロール（106-22-9）；ゲラニオール（106-24-1）；シクロペントールＨｃ 937165（84560-00-9）；Cymal（103-95-7）；Dupical（30168-23-1）；エチルリナロール（10339-55-6）；フローラルスーパー（Floral Super）（71077-31-1）；Florhydral（登録商標）（125109-85-5）；Florol（登録商標）（63500-71-0）；Gyrane（24237-00-1）；サリチル酸ヘキシル（6259-76-3）；Helional（商標）（1205-17-0）；ヒドロキシシトロネラール（107-75-5）；Linalool（78-70-6）；Lyral（登録商標）（31906-04-4）；Majantol（登録商標）（103694-68-4）；Mayol（登録商標）（13828-37-0）；Melafleur（68991-97-9）；メロナール（106-72-9）；ミュゲタノール（Mugetanol）（63767-86-2）；Muguesia（56836-93-2）；ミュゲアルコール（13351-61-6）；Verdantiol（91-51-0）；Peonile（登録商標）（10461-98-0）；Phenoxanol（登録商標）（55066-48-3）；Rossitol（登録商標）（215231-33-7）；
【００４２】
Silvial（登録商標）（6658-48-6）；Suzural（6658-48-6）；Muguol（登録商標）（18479-57-7）；テトラヒドロリナロール（78-69-3）；Acalea（84697-09-6）；ジヒドロイソジャスモン酸（37172-53-5）；ヘキシル桂皮アルデヒド（101-86-0）；Hedione（登録商標）（24851-98-7）；アセトイン（513-86-0）；Adoxal（141-13-9）；Aldolone（登録商標）（207228-93-1）；AMBROCENIDE（登録商標）（211299-54-6）；アンブロキサン（3738-00-9）；Azurone（登録商標）（362467-67-2）；Bacdanol（登録商標）（28219-61-6）；Calone 1951（登録商標）（28940-11-6）；Cetalox（登録商標）（3738-00-9）；桂皮アルコール（104-54-1）；シトラール（5392-40-5）；Cyclabute（67634-20-2）；Cyclacet（商標）（5413-60-5）；Cyclaprop（商標）（17511-60-3）；シクロヘキサデカノリド（109-29-5）；シクロヘキサデセノン（3100-36-5）；シクロペンタデカノン（507-72-7）；デルタダマスコン（57378-68-4）；Ebanol（登録商標）（67801-20-1）；Elintaal Forte（40910-49-4）；エチルバニリン（121-32-4）；
【００４３】
エチレンブラシレート（105-95-3）；Exaltenone 942008（14595-54-1）；Exaltolide Total 935985（106-02-5）；Floralozone（67634-14-4）；Fructalate（72903-27-6）；ガンマデカラクトン（706-14-9）；ハバノリド（111879-80-2）； Helvetolide（登録商標）（141773-73-1）；ヘキサメチルインダノピラン（1222-05-5）；Hydroxyambran（登録商標）（118562-73-5）；Iso E Super（登録商標）（54464-57-2）；イソヘキセニルシクロヘキセニルカルボキシアルデヒド（37677-14-8）；ジャスマル（18871-14-2）；Javanol（登録商標）（198404-98-7）；ラウリンアルデヒド（112-54-9）；Mefranal（55066-49-4）；Muscenone（63314-79-4）；Tonalid（登録商標）（1506-02-1）；Nectaryl（登録商標）（95962-14-4）；Norlim Banol（70788-30-6）；パラヒドロキシフェニルブタノン（5471-51-2）；ピノアセトアルデヒド（33885-51-7）；Romandolide（登録商標）（236391-76-7）；Sanjinol（28219-61-6）；Silvanone（登録商標）Supra（109-29-5/507-72-7）；テルピネオール（8000-41-7）；バニリン（121-33-5）；およびVelvione（登録商標）（37609-25-9）；ここで、括弧内の数字はＣＡＳ番号である、を含んでもよい。
【００４４】
香料組成物は、上に挙げた香料成分に限定される必要はない。香水において通常使用される他の香料成分を用いてもよく、例えば、“Perfume and Flavour Chemicals”, S. Arctander, Allured Publishing Corporation, 1994, IL, USA（これは参照により本明細書に組み込まれる）に記載されている任意の成分を用いることができ、精油、植物抽出物、アブソリュート、レジノイド、天然産物から得た着臭剤などを含む。
【００４５】
前記香料組成物中に含まれる香料成分は上記に記載されているが、当然ながら香料混合物は、記載の成分に限定されるものではない。特に、香料組成物は、香料組成物に通常用いられる補助剤を含んでもよい。用語「補助剤」は、前記組成物の嗅覚的性能に具体的に関連しない理由で香料組成物中に使用し得る成分を意味する。例えば補助剤は、１種以上の香料成分もしくは前記成分を含有する組成物の加工を助ける働きをする成分であってもよく、またはそれは、香料成分もしくはこれを含有する組成物の取扱いまたは保存を改善し得る。それはまた、色または質感を付与するなどの付加的利益を提供する成分であってもよい。それはまた、香料成分もしくはこれを含有する組成物に含有される１種以上の成分に対して耐光性または化学的安定性を付与する成分であってもよい。香料組成物において通常使用される補助剤の性質および種類の詳細な説明は、網羅的にすることができないが、前記成分は、当業者に周知であることに言及しなければならない。補助剤の例には、溶媒および共溶媒；界面活性剤および乳化剤；粘度およびレオロジー調整剤；増粘およびゲル化剤；保存材料；色素、染料および着色料；増量剤、充填剤および強化剤；熱および光の有害作用に対する安定化剤、嵩高剤、酸味料、緩衝剤および抗酸化剤が含まれる。
【００４６】
さらに、本発明において用いられる任意の１種以上の香料成分または補助剤は、所望の効果を提供することが望ましい場合、送達ビヒクル中に調合され得る。送達ビヒクルは、カプセル化を含んでもよい。代替的に、送達ビヒクルは、固体支持体、例えば、その上に１種以上の香料成分または補助剤が、化学的または物理的に結合し得るポリマー支持体材料の形態であってもよい。さらに、１種以上の香料成分または補助剤は、マトリックス材料中に溶解または分散させることができ、該マトリックス材料は、前記１種以上の成分がそこから発する速度を制御するように機能する。さらなる代替的態様においては、１種以上の成分または補助剤は、シクロデキストリンまたはゼオライトもしくは他の無機材料などの多孔質基材上に支持されていてもよい。さらなる態様において、１種以上の香料成分は、プロ香料または前駆体の形態で提供されてもよく、これは好適な環境中において反応し、香料成分を制御された様式で放出する。
【００４７】
上記を考慮すれば、香料組成物は少なくとも部分的に、固体形態、ゲル形態、泡状形態および／または液体形態であり得ることが理解されるであろう。固体形態で存在する場合、これは顆粒、粉末または錠剤の形態をとることができる。
【００４８】
一級および／または二級アミン化合物と３−（４−イソブチル−２−メチルフェニル）プロパナールとの反応生成物、あるいは本明細書に記載の香料組成物は、時間とともに放出されることになる特徴的な匂い、特にミュゲの匂いを添加するためにパーソナルケアおよび家庭用ケア組成物などの全ての様式に用いられ得る。
【００４９】
本発明の他の側面においては、組成物にミュゲの匂い特性を付与する方法であって、前記組成物に、式（Ｉ）で表される化合物を放出する前駆体または前記前駆体を含有する香料組成物を添加するステップを含む前記方法が提供される。
【００５０】
香料成分としての前駆体、または香料組成物中で用いられる場合における前駆体は、特に持続的に長続きするミュゲの匂い特性を生じることができる。
前駆体により放出される式（Ｉ）の化合物は、特に影響力の強い香料成分である。香料成分が及ぼす影響はその匂い値に関与する。匂い値は検出閾値濃度に対する蒸気圧の比率である。
【００５１】
パーソナルおよび家庭用ケア組成物などの消費者製品としては、限定はされないが、テキスタイル処理製品、アイロン補助品、ふきん、洗濯洗剤、洗浄製品、特に硬いおよび／または柔らかい表面用のもの、家庭用洗剤、ケア製品、洗浄ケア製品、洗濯ケア製品、部屋用芳香剤、およびエアフレッシュナー、コンディショナー、着色剤、衣類用コンディショナー、コンディショニング基剤、薬剤、作物保護製品、艶出し剤、食品、化粧品、肥料、建築材料、接着剤、漂白剤、脱灰剤、自動車ケア製品、床ケア製品、調理器具ケア製品、革ケア製品もしくは家具ケア製品、研磨剤、殺菌剤、芳香剤、かび取り剤、および／または前述製品の前駆体が含まれる。
【００５２】
当業者は、香料成分および組成物の、パーソナルおよび家庭用ケア組成物への適用性を十分に認識しており、かかる組成物の極めて詳細な説明は、ここでは必要とされない。しかしながら、言及され得る具体的組成物としては、洗浄組成物；自動車ケア組成物；化粧品組成物；テキスタイル処理組成物；ならびにエアフレッシュナーおよび空気ケア組成物が含まれる。
【００５３】
洗浄製品には以下が含まれる：
便器洗浄剤または化粧室洗浄剤、すなわち水洗便器および男性用小便器を洗浄するための製品であり、これらの製品は好ましくは、粉末、ブロック、錠剤または液体、好ましくはゲルの形態で供給される。界面活性剤などの他の典型的な成分に加えて、これらは一般に、有機酸（例えば、クエン酸および／または乳酸）あるいは、水あかもしくは尿スケール（urine scale）を除去するための硫酸水素ナトリウム、アミド硫酸またはリン酸を含む；
【００５４】
パイプ洗浄製品または排水管洗浄剤。これらは、典型的には強アルカリ性製品であって、例えば毛髪、脂肪、食物残渣、石鹸堆積物などの有機材料を含むパイプの詰まりを除去するために、一般に役立つものである。Ａｌ粉末またはＺｎ粉末の添加は、泡立ち効果を有するＨ２ガスを形成するために役立ち得る。可能性のある成分は、一般的にアルカリ、アルカリ塩、酸化剤、および中性塩である。粉末形態での供給形態は、好ましくはまた、硝酸ナトリウムおよび塩化ナトリウムなどをも含む。液体形態でのパイプ洗浄製品は好ましくはまた、次亜塩素酸塩をも含み得る。また、酵素ベースの排水管洗浄剤もある。酸性の製品も同様に可能である；
【００５５】
万能または多目的または汎用洗浄剤。これらは、濡れまたは湿りをしっかり拭くことができる、あらゆる硬表面に広く使用され得る家庭用および商業用の洗浄剤である。一般的に言えば、これらは、中性またはわずかにアルカリ性またはわずかに酸性の製品で、特に液体製品である。多目的または汎用洗浄剤は、一般に、界面活性剤、ビルダー、溶媒およびヒドロトロープ、染料、保存剤等を含む；
【００５６】
特別な消毒剤特性を有する多目的洗浄剤。これらはさらに、活性な抗菌成分（例えば、アルデヒド、アルコール、第四級アンモニウム化合物、両性界面活性剤、トリクロサン）を含む；
【００５７】
衛生洗浄剤。これらは、浴室および便器を洗浄するための製品である。アルカリ性衛生洗浄剤は、脂肪汚れを除去するために好ましく用いられ、一方で、酸性衛生洗浄剤は特に、水あかを除去するために使用される。衛生洗浄剤は、有利には、かなりの消毒作用をも有し、特に塩素を含む強アルカリ性衛生洗浄剤はそうである；
【００５８】
ゲルまたは泡スプレーの形態で供給することができるオーブン洗浄剤またはグリル洗浄剤。これらは一般に、焦げたまたは炭化した食品残渣を除去するのに役立つ。オーブン洗浄剤は、好ましくは、例えば水酸化ナトリウム、メタケイ酸ナトリウム、２−アミノエタノールを使用した強アルカリ性調合物として提供される。さらに、これらは一般に、陰イオン性および／または非イオン性界面活性剤、水溶性溶剤を含有し、場合によっては、ポリカルボキシレートおよびカルボキシメチルセルロースなどの増粘剤を含有する；
【００５９】
金属艶出し剤。これらは、ステンレス鋼または銀などの特定種類の金属の洗浄剤である。ステンレス鋼洗浄剤は好ましくは、酸（好ましくは３重量％まで、例えばクエン酸、乳酸）、界面活性剤（特に５重量％まで、好ましくは非イオン性および／または陰イオン性界面活性剤）、および水の他に、脂肪汚れを除去するための溶媒（好ましくは１５重量％まで）ならびに、さらに増粘剤および保存剤などの更なる化合物を含有する。好ましくはステンレス鋼の輝く表面用の製品には、非常に微細な研磨構造がさらに含まれる。銀艶出し剤も同様に、酸性の調合物で提供することができる。特に、硫化銀の黒色付着物を除去するために、それらは好ましくは、錯化剤（例えば、チオ尿素、チオ硫酸ナトリウム）を含有する。典型的な供給形態は、艶出し布、浸漬浴、ペースト、および液体である。暗変色（酸化物層）は、銅洗浄剤および非鉄金属洗浄剤（例えば、真鍮および青銅用）を使用して除去する。これらは一般に、弱アルカリ性の調合物を有し（好ましくはアンモニアを含む）、一般的に、艶出し剤と、また好ましくはアンモニウム石鹸および／または錯化剤をも含む；
【００６０】
ガラス洗浄剤および窓用洗浄剤。これらの製品は好ましくは、ガラス表面から汚れ、特に油脂性の汚れを除去するのに役立つ。好ましくは、これらは以下を含む：化合物、例えばアニオン性および／または非イオン性界面活性剤（特に、５重量％まで）、アンモニアおよび／またはエタノールアミン（特に、１重量％まで）、エタノールおよび／または２−プロパノール、グリコールエーテル（特に、１０〜３０重量％）、水、保存剤、色素、抗ミスト剤など；および
特殊目的のための洗浄製品、例は、ガラスセラミック製のホブ用のもの、ならびにまたカーペット洗浄剤およびシミ抜き剤である。
【００６１】
自動車ケア製品は以下を含む：
塗料保存剤、塗料艶出し剤、塗料洗浄剤、洗浄保存剤、洗車用シャンプー、自動車洗浄およびワックス製品、トリム金属用艶出し剤、トリム金属用保護フィルム、プラスチック洗浄剤、タール除去剤、スクリーン洗浄剤、エンジン洗浄剤など。
【００６２】
化粧品は以下を含む：
（ａ）化粧用スキンケア製品、特に風呂用製品、肌洗浄およびクレンジング製品、スキンケア製品、アイメイク、リップケア製品、ネイルケア製品、デリケートゾーンケア製品、フットケア製品；
（ｂ）特定の効果を有する化粧品、特に日焼け止め剤、日焼け製品、脱色素製品、デオドラント、制汗剤、脱毛剤、シェービング製品、香水；
（ｃ）化粧用デンタルケア製品、特にデンタルおよびオーラルケア製品、トゥースケア製品、義歯用洗浄剤、義歯用接着剤；ならびに 
（ｄ）化粧用ヘアケア製品、特にヘアシャンプー、ヘアケア製品、ヘアセッティング製品、整髪製品およびヘアカラー製品。
【００６３】
テキスタイル処理製品は以下を含む：
例えば液体もしくは固体形態いずれかの、洗剤または繊維用仕上げ剤。
エアフレッシュナーおよび部屋用芳香剤は以下を含む：
好ましくは揮発性で通常心地よい香りの化合物を含有し、有利には非常に少量であっても、不快な臭いをマスクすることができる製品。居住エリアのエアフレッシュナーは、特に、天然および合成の精油、例えば松葉油、柑橘油、ユーカリ油、ラベンダー油などを、例えば５０重量％までの量で含有する。エアロゾルとしては、それらは、かかる精油より少量の、一例として５重量％未満または２重量％未満を含有する傾向があるが、さらに、例えばアセトアルデヒド（特に、＜０．５重量％）、イソプロピルアルコール（特に、＜５重量％）、鉱油（特に、＜５重量％）、および噴射剤などの化合物を含む。その他の提供形態としては、スティックおよびブロックが含まれる。それらは典型的には、精油を含むゲル濃縮物を用いて生産される。ホルムアルデヒド（保存用）およびクロロフィル（好ましくは＜５重量％）、およびさらなる成分を添加することも可能である。しかし、エアフレッシュナーは居住空間に限定されず、自動車、食器棚、食器洗浄機、冷蔵庫または靴用に意図されてもよく、掃除機での使用も可能である。家庭においては（例えば食器棚において）、例えば、臭気改良剤に加えて殺菌剤も使用され、これらは、好ましくはリン酸カルシウム、タルク、ステアリン、および精油などの化合物を含有し、これらの製品は例えば小袋の形態をとる。
【００６４】
本明細書上記で言及した消費者製品組成物、特に洗濯または洗浄用途で使用されるものは、１種以上の下記物質を含有していてもよい： 
ビルダー物質、界面活性剤、酵素、好ましくは有機および／または無機の過酸素化合物、過酸素活性剤などの漂白剤、水混和性有機溶媒、金属イオン封鎖剤、電解質、ｐＨ調整剤、増粘剤、ならびに汚れ放出活性物質、光学的増白剤、灰色化阻害剤、色移り防止剤、発泡調節剤、および染料などのさらなる補助剤。
【００６５】
界面活性剤には、陰イオン性界面活性剤、非イオン性界面活性剤、およびそれらの混合物が含まれるが、カチオン性界面活性剤もまた適切である。適切な非イオン性界面活性剤は、特に、それぞれが１２〜１８個の炭素原子をアルキル部分に有し、および３〜２０個、好ましくは４〜１０個のアルキルエーテル基を有する、アルキルグリコシドおよび／または直鎖もしくは分枝アルコールのエトキシル化および／またはプロポキシル化生成物である。さらに使用可能であるのは、アルキル部分に関して上記長鎖アルコール誘導体に対応するＮ−アルキルアミン、隣接ジオール、脂肪酸エステルおよび脂肪酸アミド、ならびに５〜１２個の炭素原子をアルキル残基中に有するアルキルフェノールの、対応するエトキシル化および／またはプロポキシル化生成物である。
【００６６】
好適な陰イオン性界面活性剤としては、石鹸、および、好ましくはアルカリイオンをカチオンとして有する硫酸エステルまたはスルホン酸塩基を含有するものが含まれる。石鹸には、１２〜１８個の炭素原子を有する飽和または不飽和脂肪酸のアルカリ塩が含まれる。かかる脂肪酸はまた、不完全中和された形態でも使用することができる。硫酸エステル型の使用可能な界面活性剤に含まれるのは、１２〜１８個の炭素原子を有する脂肪アルコールの硫酸半エステルの塩、およびエトキシル化度の低い前記の非イオン性界面活性剤の硫酸化生成物である。スルホン酸塩型の使用可能な界面活性剤に含まれるのは、９〜１４個の炭素原子をアルキル部分に有する、直鎖アルキルベンゼンスルホン酸塩、１２〜１８個の炭素原子を有するアルカンスルホン酸塩、および対応するモノオレフィンの三酸化硫黄との反応の際に生成される、１２〜１８個の炭素原子を有するオレフィンスルホン酸塩、ならびに脂肪酸メチルまたはエチルエステルのスルホン化の際に生成される、アルファ−スルホ脂肪酸エステルである。
【００６７】
カチオン性界面活性剤には、エステル第四級塩（esterquat）、および／または第四級アンモニウム化合物（ＱＡＣ）が含まれる。ＱＡＣは、第三級アミンの、塩化メチル、塩化ベンジル、硫酸ジメチル、臭化ドデシルなどのアルキル化剤との、また酸化エチレンとの反応によって製造することができる。長鎖アルキル残基および２個のメチル基を有する第三級アミンのアルキル化は、特に容易に起こり、２個の長い残基および１個のメチル基を有する第三級アミンの四級化もまた、温和な条件下で塩化メチルを用いて行うことができる。３個の長鎖アルキル残基またはヒドロキシ置換されたアルキル残基を有するアミンは、低い反応性を有し、例えば硫酸ジメチルを用いて四級化される。好適なＱＡＣは、例えば、塩化ベンザルコニウム（Ｎ−アルキル−Ｎ，Ｎ−ジメチルベンジルアンモニウムクロリド）、ベンザルコンＢ（ｍ，ｐ−ジクロロベンジルジメチル−Ｃ１２−アルキルアンモニウムクロリド）、ベンズオキソニウムクロリド（ベンジルドデシル−ビス（２−ヒドロキシエチル）アンモニウムクロリド）、臭化セトリモニウム（Ｎ−ヘキサデシル−Ｎ，Ｎ−トリメチルアンモニウムブロミド）、塩化ベンゼトニウム（Ｎ，Ｎ−ジメチル−Ｎ−［２−［２−［ｐ−（１，１，３，３−テトラメチルブチル）フェノキシ］エトキシ］エチル］ベンジルアンモニウムクロリド）、ジ−ｎ−デシルジメチルアンモニウムクロリドなどのジアルキルジメチルアンモニウムクロリド、ジデシルジメチルアンモニウムブロミド、ジオクチルジメチルアンモニウムクロリド、１−セチルピリジニウムクロリド、およびヨウ化チアゾリン、ならびにそれらの混合物である。好ましいＱＡＣは、Ｃ８〜Ｃ２２アルキル残基を有する塩化ベンザルコニウム、特にＣ１２〜Ｃ１４アルキルベンジルジメチルアンモニムクロリドである。
【００６８】
エステル第四級塩には、Stepan companyにより商標Stepantexのもとで販売されている、市販のメチルヒドロキシアルキルジアルキルオキシアルキルアンモニウムメトスルファート、またはCognis Deutschland GmbHの製品で商品名Dehyquat（商標）として知られているもの、またはGoldschmidt-Witcoの製品Rewoquat（商標）が含まれる。
界面活性剤は、本発明の消費者製品中に５重量％〜５０重量％の量で使用することができる。
【００６９】
ビルダーとしては、水溶性および／または水不溶性、有機および／または無機ビルダーが含まれる。特にそれらは、水溶性有機ビルダー物質を含み、これらはポリカルボン酸、より具体的にはクエン酸および糖酸、モノマーおよびポリマーアミノポリカルボン酸、特にメチルグリシン二酢酸、ニトリロ三酢酸、およびエチレンジアミン四酢酸、ならびにポリアスパラギン酸、ポリホスホン酸類、特にアミノトリス（メチレンホスホン酸）、エチレンジアミンテトラキス（メチレンホスホン酸）、および１−ヒドロキシエタン−１，１−ジホスホン酸、デキストリンなどのポリマーヒドロキシ化合物、ならびにポリマー（ポリ）カルボン酸、ポリマーアクリル酸、メタクリル酸、マレイン酸、およびそれらの混合ポリマーであり、これらはまた、カルボン酸官能基を持たない少量の重合性物質を含むこともできる。
【００７０】
それぞれの場合において遊離酸に基づき、不飽和カルボン酸のホモポリマーの相対分子量は、一般に５０００〜２００，０００の間であり、コポリマーの相対分子量は、２０００〜２００，０００の間である。このクラスの好適な化合物は、アクリル酸またはメタクリル酸と、ビニルメチルエーテルなどのビニルエーテル、ビニルエステル、エチレン、プロピレン、およびスチレンとのコポリマーであり、ここで酸の割合は、少なくとも５０重量％に等しい。水溶性有機ビルダー物質として、２つの不飽和酸および／またはその塩をモノマーとして、および第３のモノマーとしてビニルアルコールおよび／またはビニルアルコール誘導体または炭水化物を含有する、ターポリマーを、使用することもできる。第１の酸モノマーまたはその塩は、エチレン性モノ不飽和Ｃ３〜Ｃ８カルボン酸から誘導されてよい。第２の酸モノマーまたはその塩は、Ｃ４〜Ｃ８ジカルボン酸、例えばマレイン酸の誘導体であってよい。第３モノマー単位は、ビニルアルコールおよび／またはエステル化されたビニルアルコールで構成されている。
【００７１】
ポリマーは、６０重量％〜９５重量％、特に７０重量％〜９０重量％の（メタ）アクリル酸または（メタ）アクリレート、ならびに５重量％〜４０重量％のビニルアルコールおよび／または酢酸ビニルを含有してよい。特定のポリマーは、マレイン酸またはマレイン酸塩に対する（メタ）アクリル酸または（メタ）アクリレートのそれぞれの重量比が、１：１から４：１の間であるものである。量および重量比両方は、酸に基づく。第２の酸モノマーまたはその塩はまた、２位において、例えばＣ１〜Ｃ４アルキル基などのアルキル基により置換された、またはベンゼンもしくはベンゼン誘導体から誘導することができる芳香族基で置換された、アリルスルホン酸の誘導体であることもできる。ターポリマーは、４０重量％〜６０重量％、特に４５〜５５重量％の（メタ）アクリル酸または（メタ）アクリレート、特に好ましくはアクリル酸またはアクリレート、および１０重量％〜３０重量％、好ましくは１５重量％〜２５重量％のメタアリルスルホン酸またはメタアリルスルホナート、および第３のモノマーとして１５重量％〜４０重量％、好ましくは２０重量％〜４０重量％の炭水化物を含有することができる。この炭水化物は、例えば、モノ−、ジ−、オリゴ−またはポリ−サッカライド、例えばショ糖であることができる。ターポリマーは一般に、１０００〜２００，０００の相対分子量を有する。さらに、コポリマーには、モノマーとしてアクロレインおよびアクリル酸／アクリル酸塩、または酢酸ビニルを含むものが包含される。特に、液体洗剤の製造のためには、有機ビルダー物質は、水溶液の形態で、例えば３０〜５０重量％水溶液で使用することができる。上記の酸はすべて、それらの水溶性塩の形態で、特にそれらのアルカリ塩の形態で、使用してよい。
【００７２】
有機ビルダー物質は、４０重量％までの量で使用することができる。
水溶性無機ビルダー材料には、アルカリケイ酸塩およびポリリン酸塩、例えば三リン酸ナトリウムが含まれる。結晶性または非晶質アルカリアルミノシリケート、例えば結晶性アルミノケイ酸ナトリウムもまた、水不溶性、水分散性無機ビルダー材料として、例えば５０重量％までの量で、用いることができる。アルミノシリケートは典型的には、３０［ｍｕ］ｍ未満の粒径を有する粒子を含む。
【００７３】
結晶質アルカリケイ酸塩もまた、単独または非晶質ケイ酸塩と共にのいずれかで、使用することができる。本発明の消費者製品中で洗剤ビルダーとして使用可能なアルカリケイ酸塩は、アルカリ酸化物のＳｉＯ２に対する０．９５未満、特に１：１．１〜１：１２のモル比を有することができ、非晶質または結晶質の様式で存在することができる。アルカリケイ酸塩は、ケイ酸ナトリウム、特に非晶質ケイ酸ナトリウムであってよく、Ｎａ２Ｏ：ＳｉＯ２のモル比として１：２〜１：２．８を有する。
ビルダー物質は、本発明の消費者製品組成物に、６０重量％までのレベルで含有させてもよい。
【００７４】
過酸素化合物としては、フタルイミド過カプロン酸（phthalimidopercapronic acid）、過安息香酸またはジ過ドデカン二酸（diperdodecanedioic acid）の塩などの有機過酸または有機酸の過酸塩、過酸化水素、ならびに過ホウ酸塩、過炭酸塩および／または過ケイ酸塩などの適用条件下で過酸化水素を放出する無機塩が含まれる。固体過酸素化合物が用いられる場合、それらは、原則として既知の方法で封入できる粉末または顆粒の形態で使用することができる。
【００７５】
過酸素化合物は、５０重量％までの量で使用してよい。少量の既知の漂白剤安定化剤、例えばホスホン酸塩、ホウ酸塩、メタホウ酸塩およびメタケイ酸塩、ならびに硫酸マグネシウムなどのマグネシウム塩の添加も、有用であり得る。
【００７６】
過加水分解条件下では、好ましくは１〜１０個の炭素原子、特に２〜４個の炭素原子を有する脂肪族ペルオキソカルボン酸および／または（任意に置換された）過安息香酸を生成する化合物は、漂白活性化剤として使用することができる。前記の数の炭素原子を有するＯ−および／またはＮ−アシル基および／または任意に置換されたベンゾイル基を有する物質が適している。複数アシル化アルキレンジアミン、特にテトラアセチルエチレンジアミン（ＴＡＥＤ）、アシル化トリアジン誘導体、特に１，５−ジアセチル−２，４−ジオキソヘキサヒドロ−１，３，５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホナート、特にｎ−ノナノイルまたはイソノナノイルオキシベンゼンスルホナート（ｎ−またはイソ−ＮＯＢＳ）、カルボン酸無水物、特にフタル酸無水物、アシル化多価アルコール、特にトリアセチン、エチレングリコールジアセタート、２，５−ジアセトキシ−２，５−ジヒドロフラン、およびエノールエステル、ならびに、アセチル化ソルビトールおよびマンニトールならびにそれらの混合物（ＳＯＲＭＡＮ）、アシル化糖誘導体、特にペンタアセチルグルコース（ＰＡＧ）、ペンタアセチルフルクトース、テトラアセチルキシロースおよびオクタアセチルラクトース、ならびにアセチル化、任意にＮ−アルキル化グルタミンおよびグルコノラクトン、および／またはＮ−アシル化ラクタム、例えばＮ−ベンゾイルカプロラクタムを使用することができる。親水性置換酢酸アシルおよびアシルラクタムも、同様に用いることができる。従来の漂白活性化剤の組み合わせも使用することができる。かかる漂白活性化剤は通常の量の範囲で、好ましくは剤全体に基づき１重量％〜１０重量％、特に２重量％〜８重量％の量で含有させることができる。
【００７７】
前述の従来の漂白活性化剤に加えて、またはその代わりに、スルホンイミンおよび／または漂白増強遷移金属塩または遷移金属錯体も、漂白触媒として含有させることができる。適切な遷移金属化合物には、特に、マンガン、鉄、コバルト、ルテニウム、またはモリブデンのサレン錯体、およびそれらの窒素類似体化合物、マンガン、鉄、コバルト、ルテニウム、またはモリブデンのカルボニル錯体、窒素含有三脚リガンドを有するマンガン、鉄、コバルト、ルテニウム、モリブデン、チタン、バナジウム、および銅の錯体、コバルト、鉄、銅、およびルテニウムのアミン錯体が含まれる。漂白活性化剤と遷移金属漂白触媒の組み合わせも、同様に使用することができる。漂白増強遷移金属錯体、特に中心原子であるＭｎ、Ｆｅ、Ｃｏ、Ｃｕ、Ｍｏ、Ｖ、Ｔｉ、および／またはＲｕを有するものは、消費者製品組成物の重量に基づき１重量％までの量などの、従来の量で使用することができる。
【００７８】
消費者製品組成物に用いることができる好適な酵素は、プロテアーゼ、クチナーゼ、アミラーゼ、プルラナーゼ、ヘミセルラーゼ、セルラーゼ、リパーゼ、オキシダーゼ、およびペルオキシダーゼのクラスからのもの、ならびにそれらの混合物である。真菌または細菌、例えばBacillus subtilis、Bacillus licheniformis、Streptomyces griseus、Humicola lanuginosa、Humicola insolens、Pseudomonas pseudoalcaligenes、またはPseudomonas cepaciaから回収した酵素的に活性な物質も、好適である。適用可能として使用される酵素は、担体物質に吸着させ、および／または封入物質内に包埋して、早発の不活性化から保護することができる。これらは、本発明による洗浄製品に、典型的には５重量％未満の量で含有されてもよい。
【００７９】
光学的増白剤には、ジアミノスチルベンジスルホン酸の誘導体またはそのアルカリ金属塩が含まれる。適切であるのは、例えば、４，４’−ビス（２−アニリノ−４−モルホリノ−１，３，５−トリアジニル−６−アミノ）スチルベン−２，２’−ジスルホン酸、または、モルホリノ基の代わりにジエタノールアミノ基、メチルアミノ基、アニリノ基、もしくは２−メトキシエチルアミノ基を有する、類似構造の化合物である。置換ジフェニルスチリル型の増白剤も存在することができ、例えば４，４’−ビス（２−スルホスチリル）ジフェニルのアルカリ塩、４，４’−ビス（４−クロロ−３−スルホスチリル）ジフェニルのアルカリ塩、または４−（４−クロロスチリル）−４’−（２−スルホスチリル）ジフェニルのアルカリ塩である。上記の光学的増白剤の混合物も使用することができる。
【００８０】
発泡防止剤には、オルガノポリシロキサン、およびそれらの極微小の任意にシラン化されたケイ酸との混合物、ならびにパラフィンワックスおよびそれらのシラン化ケイ酸またはビス−脂肪酸アルキレンジアミドとの混合物が含まれる。異なる発泡防止剤の混合物、例えば、シリコーン、パラフィン、またはワックスから作られたものも使用することができる。発泡防止剤、特にシリコーンおよび／またはパラフィンを含有する発泡防止剤は、優先的に、水に溶解性または分散性の粒状担体物質に結合する。パラフィンとビステアリルエチレンジアミドの混合物は、特に使用することができる。
【００８１】
汚れ放出活性物質は、油脂がテキスタイルから洗い落とされる能力に対して積極的に影響を及ぼす化合物である。この効果は、汚れたテキスタイルが、既に以前にこの油脂放出成分を含有する本発明の洗浄剤で数回洗浄されたものであるときに、特に顕著となる。好ましい油脂放出成分には、例えば、非イオン性セルロースエーテル、例えばそれぞれの場合に非イオン性セルロースエーテルに基づき１５〜３０重量％の割合のメトキシ基および１〜１５重量％の割合のヒドロキシプロポキシル基を有するメチルセルロースおよびメチルヒドロキシプロピルセルロース、ならびに、従来技術から知られている、モノマーおよび／またはポリマージオールを有するフタル酸および／またはテレフタル酸ならびにそれらの誘導体のポリマー、特にエチレンテレフタレートおよび／またはポリエチレングリコールテレフタレートのポリマーまたはそれらの陰イオン性および／または非イオン性修飾誘導体が含まれる。
【００８２】
色移り防止剤には、ビニルピロリドン、ビニルイミダゾール、ビニルピリジン−Ｎ−オキシドのポリマー、またはそれらのコポリマーが含まれる。また使用できるのは、１５，０００〜５０，０００の分子量を有するポリビニルピロリドン、および１，０００，０００を超える、特に１，５００，０００〜４，０００，０００の分子量を有するポリビニルピロリドンの両者であり、Ｎ−ビニルイミダゾール／Ｎ−ビニルピロリドンコポリマー、ポリビニルオキサゾリドン、ビニルモノマーおよびカルボン酸アミドに基づくコポリマー、ピロリドン基含有ポリエステルおよびポリアミド、グラフトされたポリアミドアミンおよびポリエチレンイミン、第二級アミンから作られたアミド基を有するポリマー、ポリアミンＮ−オキシドポリマー、ポリビニルアルコール、およびアクリルアミドアルケニルスルホン酸に基づくコポリマーである。しかしながら、ペルオキシダーゼおよび過酸化水素または水中で過酸化水素を生成する物質を包含する酵素系を使用することも可能である。
【００８３】
灰色化阻害剤は、テキスタイル繊維から分離された汚れを、洗浄媒体中に懸濁して保持する物質である。これには、通常はそのままで有機である水溶性コロイド、例えば、デンプン、サイズ、ゼラチン、デンプンもしくはセルロースのエーテルカルボン酸またはエーテルスルホン酸の塩、またはセルロースもしくはデンプンの硫酸エステルの塩が適している。酸基を含有する水溶性ポリアミドも、この目的に適している。上記のもの以外のデンプン誘導体、例えばアルデヒドデンプンも使用することができる。カルボキシメチルセルロース（ナトリウム塩）、メチルセルロース、ヒドロキシアルキルセルロースなどのセルロースエーテル、およびメチルヒドロキシエチルセルロース、メチルヒドロキシプロピルセルロース、メチルカルボキシメチルセルロースなどの混合エーテル、ならびにこれらの混合物を、消費者製品の重量に基づき、例えば０．１〜５重量％の量で、使用することができる。
【００８４】
有機溶媒には、１〜４個の炭素原子を有するアルコール類、特にメタノール、エタノール、イソプロパノール、およびｔｅｒｔ−ブタノール、２〜４個の炭素原子を有するジオール類、特にエチレングリコールおよびプロピレングリコール、ならびにそれらの混合物、および上記化合物クラスから誘導可能なエーテル類が含まれる。この種類の水混和性溶媒は、本発明の洗浄製品中に、典型的には３０重量％を超えない量で存在する。
【００８５】
ｐＨ調整剤には、クエン酸、酢酸、酒石酸、リンゴ酸、乳酸、グリコール酸、コハク酸、グルタル酸、および／またはアジピン酸が含まれ、また鉱酸、特に硫酸、あるいは塩基、特に水酸化アンモニウムまたは水酸化アルカリが含まれる。この種類のｐＨ調整剤は、本発明の剤中に、好ましくは２０重量％を超えない量で、特に１．２重量％〜１７重量％の量で含有される。
【００８６】
本発明の前駆体は、上記で定義されたものなどの酵素を含有する家庭用製品、とりわけ洗剤などの酵素を含有するテキスタイル処理製品を香りづけするために、特に使用することができる。
【００８７】
本発明はここで、以下の非限定的例を参照することにより、さらに記載される。これらの例は、説明のみを目的とするものであり、当業者により変更および改変がなされ得ることが理解される。
【００８８】
一般：本発明の化合物は、芳香性アルデヒドおよびアミンを混合することにより１ステップで調製することができる。反応は、好ましくは６５〜８０℃の間の温度にて３０〜８０ｍｂａｒの圧力下、３〜７時間の反応時間で溶媒なしに行うことができる。あるいは、反応は、丸底フラスコ内で大気圧下６５〜８０℃の間の温度にて、分子ふるい（３〜４Å）と共に行われる。生成物は、さらなる精製なしに用いられた。ＮＭＲスペクトルは、ＣＤＣｌ３中で測定し、ＴＭＳ（１Ｈ ＮＭＲ）に対して下記の通りに記録される：化学シフト（δｐｐｍ）、カップリング定数Ｊ（Ｈｚ）。固体プローブＭＳ解析は、SSQ 7000 Thermo質量分析計で行い、ｍ／ｚリスト（相対強度）として記録される。
【００８９】
例１：２−アミノ安息香酸メチルと３−（４−イソブチル−２−メチルフェニル）プロパナールとの混合（モル比１：１）
【化３】
0006487042.tif 000004
２−アミノ安息香酸メチル（１．５１ｇ、１０．０ｍｍｏｌ）と３−（４−イソブチル−２−メチルフェニル）プロパナール（２．０４ｇ、１０．０ｍｍｏｌ）との混合物を、７５℃、５０ｍｂａｒで６時間撹拌し、２５℃まで冷却した後、３．１７ｇの鮮黄色オイルを得た。生成物は、そのままで香料用途に用いられるため、精製を必要としなかった。粗反応混合物の解析により、２種の主要成分「エナミン」（Ｅ／Ｚ）−メチル２−（（３−（４−イソブチル−２−メチルフェニル）プロパ−１−エン−１−イル）アミノ）ベンソアートおよび「アミナール」ジメチル２，２’−（（３−（４−イソブチル−２−メチルフェニル）プロパン−１，１−ジイル）ビス（アザンジイル））−ジベンゾアート（モル比  エナミン／アミナール＝３：１）が明らかになった。
【００９０】
（Ｅ／Ｚ）−メチル２−（（３−（４−イソブチル−２−メチルフェニル）プロパ−１−エン−１−イル）アミノ）ベンゾアート：
【表１】
0006487042.tif 000005
【００９１】
ジメチル２，２’−（（３−（４−イソブチル−２−メチルフェニル）プロパン−１，１−ジイル）ビス（アザンジイル））−ジベンゾアート：
【表２】
0006487042.tif 000006
粗反応混合物の匂いの記載：フローラルアルデヒド調、フローラルオレンジフラワー、アントラニル酸メチル、わずかにグリーンラテックス（latex）
【００９２】
例２：２−アミノ安息香酸メチルと３−（４−イソブチル−２−メチルフェニル）プロパナールとの混合（モル比２：１）
２−アミノ安息香酸メチル（３．０２ｇ、２０．０ｍｍｏｌ）と３−（４−イソブチル−２−メチルフェニル）プロパナール（２．０４ｇ、１０．０ｍｍｏｌ）との混合物を、７５℃、５０ｍｂａｒで６時間撹拌し、２５℃まで冷却した後、４．６０ｇの鮮黄色オイルを得た。生成物は、そのままで香料用途に用いられるため、精製を必要としなかった。粗反応混合物の解析により、２種の主要成分「アミナール」ジメチル２，２’−（（３−（４−イソブチル−２−メチルフェニル）プロパン−１，１−ジイル）ビス（アザンジイル））ジベンゾアートおよび「エナミン」（Ｅ／Ｚ）−メチル２−（（３−（４−イソブチル−２−メチルフェニル）プロパ−１−エン−１−イル）アミノ）ベンソアート（モル比  アミナール／エナミン＝２：１）が明らかになった。
【００９３】
ジメチル２，２’−（（３−（４−イソブチル−２−メチルフェニル）プロパン−１，１−ジイル）ビス（アザンジイル））ジベンゾアートおよび（Ｅ／Ｚ）−メチル２−（（３−（４−イソブチル−２−メチルフェニル）プロパ−１−エン−１−イル）アミノ）ベンソアートのスペクトルデータは、例１に記録されている。
粗反応混合物の匂いの記載：フローラルオレンジフラワー、フローラルアルデヒド調、アントラニル酸メチル
【００９４】
例３：女性らしいフローラルファインフレグランスの調製
【表３−１】
0006487042.tif 000007
【００９５】
【表３−２】
0006487042.tif 000008
【００９６】
（例２で調製した通りの）少なくともジメチル２，２’−（（３−（４−イソブチル−２−メチルフェニル）プロパン−１，１−ジイル）ビス−（アザンジイル））ジベンゾアートおよび（Ｅ／Ｚ）−メチル２−（（３−（４−イソブチル−２−メチルフェニル）プロパ−１−エン−１−イル）アミノ）−ベンゾアートを含む反応混合物の添加は、申し分なく組成物のグリーン特性を包み込み、ミュゲおよびオレンジフラワーファセット（facet）を提供し、クリーム性（creaminess）を高める。同時に、生成物は、組成物全体の容積、拡散および性能を加える。
【００９７】
例４：女性らしいフローラルアルデヒド調ファインフレグランスの調製
【表４−１】
0006487042.tif 000009
【００９８】
【表４−２】
0006487042.tif 000010
【００９９】
（例１で調製した通りの）少なくとも（Ｅ／Ｚ）−メチル２−（（３−（４−イソブチル−２−メチルフェニル）プロパ−１−エン−１−イル）アミノ）ベンソアートおよびジメチル２，２’−（（３−（４−イソブチル−２−メチルフェニル）プロパン−１，１−ジイル）ビス（アザンジイル））ジベンゾアートを含む反応混合物の添加は、アルデヒドの鋭さを低減することにより、およびミュゲファセットと共にオレンジフラワーノートを提供することにより、より洗練された調和をもたらす。生成物は、ペッパーウッド（pepperwood）、ミスティカル（Mystikal）およびポマローズ（Pomarose）と非常によく融合し、ならびに組成物全体の容積、拡散および性能を加える。